(57)【特許請求の範囲】
【請求項１】
冷蔵庫の貯蔵室内に配して貯蔵物を載置する冷蔵庫用載置棚において、
貯蔵室に設置される第１載置部と、
第１載置部に連結されるとともに第１載置部に重ねられる第１の位置と第１載置部に対して空間を介して平行に配された第２の位置との間を平行移動可能な第２載置部と、
を備え、第２載置部の少なくとも一部を収納する凹部を第１載置部の前記空間側の面に設けたことを特徴とする冷蔵庫用載置棚。
【請求項２】
第１載置部の下方に配置される第２載置部を第１の位置で保持する保持部を設けたことを特徴とする請求項１に記載の冷蔵庫用載置棚。
【請求項３】
第２載置部を第２の位置に位置決めするストッパを設けたことを特徴とする請求項１または請求項２に記載の冷蔵庫用載置棚。
【請求項４】
第１載置部及び第２載置部に回動自在に取り付けられる複数のリンクにより第１、第２載置部を連結したリンク機構を構成し、前記リンクの回動によって第２載置部を平行移動することを特徴とする請求項１〜請求項３のいずれかに記載の冷蔵庫用載置棚。
【請求項５】
請求項１〜請求項４のいずれかに記載の冷蔵庫用載置棚を貯蔵室内に設けたことを特徴とする冷蔵庫。
【発明の詳細な説明】
【技術分野】
【０００１】
本発明は、冷蔵庫の貯蔵室内に配されて貯蔵物を載置する冷蔵庫用載置棚に関する。また本発明は、貯蔵物を載置する冷蔵庫用載置棚を有した冷蔵庫に関する。
【背景技術】
【０００２】
従来の冷蔵庫は特許文献１に開示されている。この冷蔵庫は複数の貯蔵室を有し、貯蔵室内に食品等の貯蔵物を載置する複数の載置棚が配される。載置棚は薄板状の樹脂から成り、貯蔵室の内壁に突出する受け部に両側端を係止して設置される。
【特許文献１】実開昭６４−５１１９３号公報（第３図）
【発明の開示】
【発明が解決しようとする課題】
【０００３】
しかしながら、上記従来の冷蔵庫によると、載置棚上に小さな貯蔵物を載置すると上方に空間が生じて収納スペースが無駄になる。このため、貯蔵物を積み重ねて貯蔵すると下部の貯蔵物の取出しが困難になるとともに、上部の貯蔵物の重量によって下部の食品等の貯蔵物が損傷する。従って、冷蔵庫の利便性が悪い問題があった。
【０００４】
本発明は、収納スペースを効率よく利用し、利便性を向上できる冷蔵庫を提供することを目的とする。また本発明は、冷蔵庫の収納スペースを効率よく利用し、利便性を向上できる冷蔵庫用載置棚を提供することを目的とする。
【課題を解決するための手段】
【０００５】
上記目的を達成するために本発明は、冷蔵庫の貯蔵室内に配して貯蔵物を載置する冷蔵庫用載置棚において、貯蔵室に設置される第１載置部と、第１載置部に連結されるとともに第１載置部に重ねられる第１の位置と第１載置部に対して空間を介して平行に配された第２の位置との間を平行移動可能な第２載置部と、を備え、第２載置部の少なくとも一部を収納する凹部を第１載置部の前記空間側の面に設けたことを特徴としている。
【０００６】
この構成によると、第２載置部を第１の位置に配置して第１、第２載置部を重ねた冷蔵庫用載置棚の上に貯蔵物が載置される。第２載置部を平行移動して第２の位置に配置すると第１、第２載置部上にそれぞれ貯蔵物が載置される。
【０００８】
また本発明は、上記構成の冷蔵庫用載置棚において、第１載置部の下方に配置される第２載置部を第１の位置で保持する保持部を設けたことを特徴としている。この構成によると、保持部によって第２載置部が自重により第１載置部から離れることを防止する。
【００１０】
また本発明は、上記構成の冷蔵庫用載置棚において、第２載置部を第２の位置に位置決めするストッパを設けたことを特徴としている。この構成によると、第１の位置から第２載置部を移動すると、例えば第１、第２載置部を連結するリンクに設けたストッパが第１載置部に当接して第２載置部が第２の位置で位置決めされる。
【００１１】
また本発明は、上記構成の冷蔵庫用載置棚において、第１載置部及び第２載置部に回動自在に取り付けられる複数のリンクにより第１、第２載置部を連結したリンク機構を構成し、前記リンクの回動によって第２載置部を平行移動することを特徴としている。
【００１２】
また本発明の冷蔵庫は、上記各構成の冷蔵庫用載置棚を貯蔵室内に設けたことを特徴としている。
【発明の効果】
【００１３】
本発明によると、冷蔵庫用載置棚は、第２載置部が第１載置部に重ねられる第１の位置と第１載置部に対して上方または下方に空間を介して平行に配された第２の位置との間を平行移動するので、第１の位置に第２載置棚を配置して大きな貯蔵物を第１載置部上または第１載置部の下方に貯蔵することができる。また、第２の位置に第２載置棚を配置すると貯蔵物の載置面積が増加し、貯蔵物を第１載置部上及び第２載置部上に貯蔵することができる。従って、冷蔵庫の収納スペースを効率よく利用することができる。また、貯蔵物を積み重ねることなく貯蔵できるため、取出しを容易にするとともに貯蔵物の損傷を防止して冷蔵庫の利便性を向上することができる。
【００１４】
また本発明によると、第１載置部の下方に配される第２載置部を第１の位置で保持する保持部を設けたので、第２載置部が自重によって第１載置部から離れることを防止し、第１載置部の下方に大きな貯蔵物を貯蔵することができる。
【００１５】
また本発明によると、第２載置部を第２の位置に位置決めするストッパを設けたので、第２載置部を第２の位置で安定させることができる。
【００１６】
また本発明によると、リンク機構によって容易に第２載置部を平行移動することができる。
【発明を実施するための最良の形態】
【００１７】
以下に本発明の実施形態を図面を参照して説明する。図１は一実施形態の冷蔵庫を示す側面断面図である。冷蔵庫１は上方から順に冷蔵室２、冷凍室３、野菜室４が配され、それぞれ断熱扉６、７、８で開閉される。野菜室４の後方には冷凍サイクルを運転する圧縮機１０が配され、冷凍室３の後方には圧縮機１０に接続される冷却器９が配される。圧縮機１０の運転により冷凍サイクルの低温側となる冷却器９と熱交換した冷気が冷蔵室２、冷凍室３、野菜室４に送出され、貯蔵物が冷却される。
【００１８】
冷蔵室２の両側壁には前後に延びる受け部１１、１２が上下２段に突設されている。受け部１１、１２上にはそれぞれ貯蔵物を載置する載置棚２０、３０（冷蔵庫用載置棚）の左右の両端が係止される。これにより載置棚２０、３０が冷蔵室２（貯蔵室）内に設置される。
【００１９】
図２、図３、図４はそれぞれ載置棚２０の上面図、側面図及び底面図である。載置棚２０は平板状の樹脂成形品から成る第１、第２載置部２１、２２を有している。第１載置部２１は冷蔵室２の受け部１１に設置され、前端に金属製の補強板２６が設けられている。第２載置部２２は第１載置部２１よりも前後の幅及び左右の幅が狭く形成され、第１載置部２１の下方に配される。
【００２０】
図５は載置棚２０の分解図を示している。第１載置部２１の下面側の両側部には水平方向内側に突出する軸部２１ａが前後に設けられる。第２載置部２２の両側面には水平方向外側に突出する軸部２２ａが軸部２１ａと同じ間隔で前後に設けられる。前後の軸部２１ａ、２２ａはリンク２３で連結される。
【００２１】
前後のリンク２３は両端に同じ間隔の孔部２３ａ、２３ｂを有している。リンク２３の孔部２３ａが第１載置部２１の軸部２１ａに嵌合され、リンク２３が第１載置部２１に対して回転自在に取り付けられる。また、リンク２３の孔部２３ｂが第２載置部２２の軸部２２ａに嵌合され、リンク２３が第２載置部２２に対して回転自在に取り付けられる。これにより、リンク機構が構成される。
【００２２】
図６は図４のＡ−Ａ断面図を示している。第１載置部２１の下面には捻りバネ２５で付勢されるクリップ２４（保持部）が設けられる。クリップ２４が第２載置部２２の前端を挟持して第２載置部２２は第１載置部２１の下面に重ねられた第１の位置で保持される。これにより、載置棚２０の下方に大きな貯蔵物を貯蔵することができる。
【００２３】
第２載置部２２のクリップ２４による保持を解除すると、図７に示すように第２載置部２２は自重によりリンク２３が回動して平行移動する。後方のリンク２３の第１載置部２１側の端部には、リンク２３の径方向に対して斜めに延びたストッパ２３ｃ（図５参照）が設けられている。ストッパ２３ｃが第１載置部２１の下面に当接して、第２載置部２２は第１載置部に対して空間を介して平行に配された第２の位置に位置決めされる。これにより、載置棚２０は貯蔵物の載置面積が増加し、第２載置部２２上に小さい貯蔵物を載置して貯蔵することができる。
【００２４】
次に、図８、図９はそれぞれ載置棚３０の上面図及び側面図である。載置棚３０は平板状の樹脂成形品から成る第１、第２載置部３１、３２を有している。第１載置部３１は冷蔵室２の受け部１２に設置され、前端に金属製の補強板３６が設けられている。第２載置部３２は第１載置部２１よりも前後の幅及び左右の幅が狭く形成され、第１載置部３１の上面に設けた凹部３１ｂ（図１０参照）内に配される。
【００２５】
図１０は載置棚３０の分解図を示している。第１載置部３１の上面側の両側部には水平方向内側に突出する軸部３１ａが前後に設けられる。第２載置部３２の両側面には水平方向外側に突出する軸部３２ａが軸部３１ａと同じ間隔で前後に設けられる。前後の軸部３１ａ、３２ａはリンク３３で連結される。
【００２６】
前後のリンク３３は両端に同じ間隔の孔部３３ａ、３３ｂを有している。リンク３３の孔部３３ａが第１載置部３１の軸部３１ａに嵌合され、リンク３３が第１載置部３１に対して回転自在に取り付けられる。また、リンク３３の孔部３３ｂが第２載置部３２の軸部３２ａに嵌合され、リンク３３が第２載置部３２に対して回転自在に取り付けられる。これにより、リンク機構が構成される。
【００２７】
図１１は図８のＢ−Ｂ断面図を示している。第２載置部３２は第１載置部３１の上面の凹部３１ｂ内に嵌められ、第１載置部３１の上面に重ねられた第１の位置で保持される。これにより、載置棚３０の上面が平坦になり、載置棚３０上に大きな貯蔵物を貯蔵することができる。
【００２８】
第２載置部３２の前端には取っ手部３２ｂ（図８参照）が凹設される。取っ手部３２ｂを把持して第２載置部３２を持ち上げると、図１２に示すようにリンク３３が回動して第２載置部３２が平行移動する。後方のリンク３３の第２載置部３２側の端部には、リンク３３の径方向に対して斜めに延びたストッパ３３ｃ（図１０参照）が設けられている。
【００２９】
ストッパ３３ｃが第２載置部３２の下面に当接して、第２載置部３２は第１載置部３１に対して空間を介して平行に配された第２の位置に位置決めされる。これにより、載置棚３０は貯蔵物の載置面積が増加し、第１、第２載置部３１、３２上に小さい貯蔵物を載置して貯蔵することができる。
【００３０】
本実施形態によると、載置棚２０、３０は、第２載置部２２、３２が第１載置部２１、３１に重ねられる第１の位置と第１載置部２１、３１に対して下方または上方に空間を介して平行に配された第２の位置との間を平行移動するので、第１の位置に第２載置棚２２、３２を配置して大きな貯蔵物を第１載置部２１の下方または第１載置部３１上に貯蔵することができる。
【００３１】
また、第２の位置に第２載置棚２２、３２を配置すると貯蔵物の載置面積が増加し、貯蔵物を第１載置部２１、３１上及び第２載置部２２、３２上に貯蔵することができる。従って、冷蔵庫１の収納スペースを効率よく利用することができる。また、貯蔵物を積み重ねることなく貯蔵できるため、取出しを容易にするとともに貯蔵物の損傷を防止してる冷蔵庫１の利便性を向上することができる。
【００３２】
尚、第２載置部２２とは別に載置棚２０の上方に載置棚３０の第２載置部３２と同様の載置部を設けてもよく、第２載置部３２とは別に載置棚３０の下方に載置棚２０の第２載置部２２と同様の載置部を設けてもよい。また、第２載置部２２、３２に連結して平行移動する他の載置部を更に設けてもよい。これらにより、載置面積を更に増加させることができる。
【産業上の利用可能性】
【００３３】
本発明によると、貯蔵物を載置する載置棚を有した冷蔵庫に利用することができる。
【図面の簡単な説明】
【００３４】
【図１】本発明の実施形態の冷蔵庫を示す側面断面図
【図２】本発明の実施形態の冷蔵庫の載置棚を示す上面図
【図３】本発明の実施形態の冷蔵庫の載置棚を示す側面図
【図４】本発明の実施形態の冷蔵庫の載置棚を示す底面図
【図５】本発明の実施形態の冷蔵庫の載置棚を示す分解図
【図６】図４のＡ−Ａ断面図
【図７】本発明の実施形態の冷蔵庫の載置棚の第２載置部を移動した状態を示す側面断面図
【図８】本発明の実施形態の冷蔵庫の他の載置棚を示す上面図
【図９】本発明の実施形態の冷蔵庫の他の載置棚を示す側面図
【図１０】本発明の実施形態の冷蔵庫の他の載置棚を示す分解図
【図１１】図８のＢ−Ｂ断面図
【図１２】本発明の実施形態の冷蔵庫の他の載置棚の第２載置部を移動した状態を示す側面断面図
【符号の説明】
【００３５】
１    冷蔵庫
２    冷蔵室
３    冷凍室
４    野菜室
６、７、８  断熱扉
９    冷却器
１０    圧縮機
１１、１２  レール
２０、３０  載置棚
２１、３１  第１載置部
３１ｂ  凹部
２２、３２  第２載置部
２３、３３  リンク
２３ｃ、３３ｃ  ストッパ
２４    クリップ
２５    捻りバネ
【図１】
0004480666.tif 000002
【図２】
0004480666.tif 000003
【図３】
0004480666.tif 000004
【図４】
0004480666.tif 000005
【図５】
0004480666.tif 000006
【図６】
0004480666.tif 000007
【図７】
0004480666.tif 000008
【図８】
0004480666.tif 000009
【図９】
0004480666.tif 000010
【図１０】
0004480666.tif 000011
【図１１】
0004480666.tif 000012
【図１２】
0004480666.tif 000013